(57)【要約】【課題】カメラに接続された外部フラッシュ装置における調光設定方法の違いを考慮して、適切にカメラを動作させる。【解決手段】外部フラッシュ装置が接続されていない場合は、内蔵フラッシュ設定メニューを含む内蔵フラッシュ用設定メニュー画面を表示する（ステップＳ１２０）。また、調光設定用の操作部材が設けられた自己設定型の外部フラッシュ装置が接続された場合は、内蔵フラッシュ設定メニューの表示形態を変化させた自己設定型フラッシュ用設定メニュー画面を表示する（ステップＳ１００）。さらに、調光設定用の操作部材がないカメラ設定型の外部フラッシュ装置が接続された場合は、内蔵フラッシュ設定メニューに替えて、外部フラッシュ設定メニューを含むカメラ設定型フラッシュ用設定メニュー画面を表示する（ステップＳ４０）。【選択図】図５
2008116748.tif 000002
【特許請求の範囲】
【請求項１】
各種の画像を表示するための画像表示手段が設けられたカメラと、前記カメラに接続されて用いられる外部フラッシュ装置とを備えたカメラシステムにおいて、
前記外部フラッシュ装置は、ユーザが前記外部フラッシュ装置に対して入力した操作に応じて調光設定可能な第１の外部フラッシュ装置、または、前記カメラから送信される調光設定情報に基づいて調光設定可能な第２の外部フラッシュ装置のいずれかであり、
前記カメラは、前記第１の外部フラッシュ装置が接続された場合と、前記第２の外部フラッシュ装置が接続された場合とで、前記画像表示手段に表示する画像の内容を変化させることを特徴とするカメラシステム。
【請求項２】
請求項１に記載のカメラシステムにおいて、
前記カメラは、
各種の設定を行うための様々な設定メニュー項目を含む設定メニュー画面を前記画像表示手段に表示し、
前記第１の形態の外部フラッシュ装置が接続された場合に前記画像表示手段に表示される設定メニュー画面に含まれる設定メニュー項目と、前記第２の形態の外部フラッシュ装置が接続された場合に前記画像表示手段に表示される設定メニュー画面に含まれる設定メニュー項目とを変化させることにより、前記画像表示手段に表示する画像の内容を変化させることを特徴とするカメラシステム。
【請求項３】
請求項２に記載のカメラシステムにおいて、
前記カメラは、
前記外部フラッシュ装置が接続されていない場合は、前記カメラに内蔵された内蔵フラッシュ装置の調光設定を行うための設定メニュー項目である内蔵フラッシュ設定メニューを含む設定メニュー画面を前記画像表示手段に表示し、
前記第１の形態の外部フラッシュ装置が接続された場合は、前記内蔵フラッシュ設定メニューの表示形態を変化させた設定メニュー画面を前記画像表示手段に表示し、
前記第２の形態の外部フラッシュ装置が接続された場合は、前記内蔵フラッシュ設定メニューに替えて、前記外部フラッシュ装置の調光設定を行うための設定メニュー項目である外部フラッシュ設定メニューを含む設定メニュー画面を前記画像表示手段に表示することを特徴とするカメラシステム。
【請求項４】
請求項１に記載のカメラシステムにおいて、
前記カメラは、
前記第２の形態の外部フラッシュ装置が接続された場合は、その外部フラッシュ装置の向きが所定の方向ではないときに、その旨をユーザに知らせるための警告画面を前記画像表示手段に表示し、
前記第１の形態の外部フラッシュ装置が接続された場合は、前記警告画面を前記画像表示手段に表示しないことを特徴とするカメラシステム。
【請求項５】
請求項１〜４いずれか一項に記載のカメラシステムにおいて用いられるカメラ。
【請求項６】
各種の画像を表示するための画像表示手段と、
ユーザが入力した操作に応じて調光設定可能な第１の外部フラッシュ装置、または、前記カメラから送信される調光設定情報に基づいて調光設定可能な第２の外部フラッシュ装置のいずれか一方を接続するための接続手段とを備え、
前記接続手段により前記第１の外部フラッシュ装置が接続された場合と、前記接続手段により前記第２の外部フラッシュ装置が接続された場合とで、前記画像表示手段に表示する画像の内容を変化させることを特徴とするカメラ。
【発明の詳細な説明】
【技術分野】
【０００１】
本発明は、カメラと、カメラの外部に接続されるフラッシュ装置とを備えたカメラシステムに関する。
【背景技術】
【０００２】
従来、外部にフラッシュ装置（撮影調光装置）が装着されると、カメラに内蔵されたフラッシュの動作を禁止して、その外部フラッシュ装置を動作させるカメラが広く知られている（たとえば、特許文献１参照）。
【０００３】
【特許文献１】特開平６−３３２０４６号公報
【発明の開示】
【発明が解決しようとする課題】
【０００４】
近年、カメラからの指示により撮影状況に応じて自動的に調光量を調節し発光するオート調光モードと、予め設定された調光量で発光するマニュアル調光モードとを切り替え可能な外部フラッシュ装置が広く用いられている。このような外部フラッシュ装置は通常、調光モードや調光量を設定するための調光設定用の操作部材や表示パネルを備えている。しかし、調光設定用の操作部材や表示パネルのない外部フラッシュ装置の場合は、カメラを介して調光設定を行わなければならない。特許文献１に開示されるような従来のカメラでは、このような外部フラッシュ装置における調光設定方法の違いに対して、適切に動作することができない。
【課題を解決するための手段】
【０００５】
請求項１の発明によるカメラシステムは、各種の画像を表示するための画像表示手段が設けられたカメラと、そのカメラに接続されて用いられる外部フラッシュ装置とを備えたカメラシステムにおいて、外部フラッシュ装置は、ユーザがその外部フラッシュ装置に対して入力した操作に応じて調光設定可能な第１の外部フラッシュ装置、または、カメラから送信される調光設定情報に基づいて調光設定可能な第２の外部フラッシュ装置のいずれかであり、カメラは、第１の外部フラッシュ装置が接続された場合と、第２の外部フラッシュ装置が接続された場合とで、画像表示手段に表示する画像の内容を変化させるものである。
請求項２の発明は、請求項１に記載のカメラシステムにおいて、カメラは、各種の設定を行うための様々な設定メニュー項目を含む設定メニュー画面を画像表示手段に表示する。このとき、第１の形態の外部フラッシュ装置が接続された場合に画像表示手段に表示される設定メニュー画面に含まれる設定メニュー項目と、第２の形態の外部フラッシュ装置が接続された場合に画像表示手段に表示される設定メニュー画面に含まれる設定メニュー項目とを変化させることにより、画像表示手段に表示する画像の内容を変化させるものである。
請求項３の発明は、請求項２に記載のカメラシステムにおいて、カメラは、外部フラッシュ装置が接続されていない場合は、そのカメラに内蔵された内蔵フラッシュ装置の調光設定を行うための設定メニュー項目である内蔵フラッシュ設定メニューを含む設定メニュー画面を画像表示手段に表示する。また、第１の形態の外部フラッシュ装置が接続された場合は、内蔵フラッシュ設定メニューの表示形態を変化させた設定メニュー画面を画像表示手段に表示する。さらに、第２の形態の外部フラッシュ装置が接続された場合は、内蔵フラッシュ設定メニューに替えて、外部フラッシュ装置の調光設定を行うための設定メニュー項目である外部フラッシュ設定メニューを含む設定メニュー画面を画像表示手段に表示するものである。
請求項４の発明は、請求項１に記載のカメラシステムにおいて、カメラは、第２の形態の外部フラッシュ装置が接続された場合は、その外部フラッシュ装置の向きが所定の方向ではないときに、その旨をユーザに知らせるための警告画面を画像表示手段に表示する。しかし、第１の形態の外部フラッシュ装置が接続された場合は、警告画面を画像表示手段に表示しないこととするものである。
請求項５の発明によるカメラは、請求項１〜４いずれか一項に記載のカメラシステムにおいて用いられるものである。
請求項６の発明によるカメラは、各種の画像を表示するための画像表示手段と、ユーザが入力した操作に応じて調光設定可能な第１の外部フラッシュ装置、または、カメラから送信される調光設定情報に基づいて調光設定可能な第２の外部フラッシュ装置のいずれか一方を接続するための接続手段とを備える。そして、接続手段により第１の外部フラッシュ装置が接続された場合と、接続手段により第２の外部フラッシュ装置が接続された場合とで、画像表示手段に表示する画像の内容を変化させるものである。
【発明の効果】
【０００６】
本発明によれば、カメラに接続された外部フラッシュ装置における調光設定方法の違いを考慮して、適切にカメラを動作させることができる。
【発明を実施するための最良の形態】
【０００７】
図１は、本発明の一実施形態によるデジタル方式のカメラシステムの構成を示すブロック図である。このカメラシステムは、カメラ１と、カメラ１に取り付けられた撮影レンズ２および外部フラッシュ装置３とによって構成されている。カメラ１は、ＣＰＵ１０１、ホットシュー１０２、ＣＣＤ１０３、駆動部１０４、撮像信号処理部１０５、測光装置１０６、シーケンス装置１０７、内蔵フラッシュ装置１０８、電源制御部１０９、電源部１１０、ファインダ内表示装置制御部１１１、ファインダ内表示装置１１２、表示装置制御部１１３、表示装置１１４、コントローラ１１５、メモリカード１１６、画像処理部１１７、ＲＡＭ１１８、ＲＯＭ１１９および操作部材１２０を有している。
【０００８】
ＣＰＵ１０１は、他の各構成部分と連動して様々な処理や制御を実行する。このＣＰＵ１０１がカメラ１の動作状態に応じて適切な処理や制御を行うことにより、カメラ１において様々な機能および動作が実現される。
【０００９】
ホットシュー１０２は、外部フラッシュ装置３をカメラ１に取り付けて接続する際に用いられる外部装置装着用の部分である。ホットシュー１０２によりカメラ１と外部フラッシュ装置３が接続されると、その両者に設けられた接点を介して、ＣＰＵ１０１と外部フラッシュ装置３が電気的に接続される。これにより、カメラ１から外部フラッシュ装置３の発光が制御される。また、ＣＰＵ１０１と外部フラッシュ装置３との間で、外部フラッシュ装置３の調光設定に関する情報の通信が行われる。この通信内容は、後で詳しく説明するように、外部フラッシュ装置３の形態に応じて異なる。
【００１０】
ＣＣＤ１０３は、撮影レンズ２から入射された光束により結像される被写体像を撮像信号に変換し、撮像信号処理部１０５へ出力する。このときのＣＣＤ１０３の動作は、駆動部１０４により制御される。撮像信号処理部１０５は、ＣＣＤ１０３から出力された撮像信号に対して所定の信号処理を行うことにより、撮像信号を画像データに変換する。この画像データは、ＣＰＵ１０１を介して画像処理部１１７へ出力される。
【００１１】
測光装置１０６は、撮影レンズ２からの入射光量を測定し、その測定結果に基づいて、撮影時の適正露出を求める。測光装置１０６により求められた適正露出はＣＰＵ１０１へ出力され、ＣＰＵ１０１が行う駆動部１０４やシーケンス装置１０７の制御に用いられる。シーケンス装置１０７は、ＣＰＵ１０１からの指令に応じて、クイックリターンミラーの動作やシャッターの動作など、撮影時の一連の機構動作を制御する。
【００１２】
内蔵フラッシュ装置１０８は、外部フラッシュ装置３とは別に、カメラ１に最初から内蔵されているフラッシュ装置であり、ＣＰＵ１０１によってその動作が制御される。なお、カメラ１に外部フラッシュ装置３が装着されている場合は、内蔵フラッシュ装置１０８を使用する必要がないため、ＣＰＵ１０１によって内蔵フラッシュ装置１０８の動作が禁止される。
【００１３】
電源制御部１０９は、カメラ１の動作状態に応じて電源部１１０を制御する。これにより、電源部１１０からカメラ１の各部分に対して必要な電源が適宜供給される。ファインダ内表示装置制御部１１１は、カメラ１のファインダ内に設けられたファインダ内表示装置１１２に対して、カメラ１の動作状態に応じて様々な情報の表示を行う。たとえば、シャッタースピード、絞り値、オートフォーカスエリアなどの情報がファインダ内表示装置１１２に表示される。これにより、撮影時に必要な情報をカメラ１のユーザに知らせることができる。
【００１４】
表示装置制御部１１３は、ＣＰＵ１０１からの指令に応じて、表示装置１１４の画像表示内容を制御する。これにより、各種の画像が表示装置１１４において表示される。たとえば、カメラ１の撮影画像や、カメラ１に対して各種の設定を行うための様々な設定メニュー項目を含む設定メニュー画面が、表示装置１１４に表示される。表示装置１１４には、たとえば液晶ディスプレイなどが用いられており、カメラ１においてユーザが見やすいような位置に設置されている。
【００１５】
コントローラ１１５は、ＣＰＵ１０１の制御により、メモリカード１１６に撮影画像データを記録するときの書き込み処理や、メモリカード１１６に記録されている撮影画像データを読み出すときの読み出し処理を実行する。メモリカード１１６はカメラ１に対して着脱可能な汎用の外部記録メディアであり、カメラ１による撮影画像データがコントローラ１１５の書き込み処理によって記録される。
【００１６】
画像処理部１１７は、撮像信号処理部１０５からＣＰＵ１０１を介して出力された画像データに対して所定の画像処理を行う。たとえば、撮影画像の見た目を調節するための処理や、画像データの形式を変換するための処理などが、画像処理部１１７において行われる。画像処理部１１７によって画像処理が行われた画像データは、コントローラ１１５によってメモリカード１０６に記録される。
【００１７】
ＲＡＭ１１８は、ＣＰＵ１０１が各種の処理や制御を実行する際の作業領域として用いられる。このＲＡＭ１１８には、表示装置１１４において画像を表示する際に用いられるＶＲＡＭも含まれている。ＲＯＭ１１９は、ＣＰＵ１０１が各種の処理や制御を実行する際に用いられるプログラムやデータ類が記録されている。
【００１８】
操作部材１２０は、電源ＳＷ（スイッチ）１２１、撮影モードダイアル１２２、レリーズＳＷ１２３、情報表示ボタン１２４および操作ボタン１２５を有している。電源ＳＷ１２１は、カメラ１の電源のオンオフを切り替えるためのスイッチである。撮影モードダイアル１２２は、カメラ１に撮影モードの切り替えを指示するためのダイアルである。レリーズＳＷ１２３は、カメラ１に撮影を実行させるためのスイッチである。情報表示ボタン１２４は、カメラ１の動作状態や設定状態に関する様々な情報を表示装置１１４に表示させるためのボタンである。操作ボタン１２５は、上記に説明した以外の様々な操作を行うためのボタンであり、複数種類のボタンや十字キーなどによって構成される。これらを用いてカメラ１のユーザから入力された操作内容は、操作部材１２０からＣＰＵ１０１へ出力され、その操作内容に応じた処理や制御がＣＰＵ１０１において実行される。
【００１９】
以上説明したカメラシステムにおけるカメラ１の外観例を図２および図３に示す。図２はカメラ１を上方向から見たときの外観図であり、図３はカメラ１を背面方向から見たときの外観図である。このカメラ１において、電源ＳＷ１２１、撮影モードダイアル１２２、レリーズＳＷ１２３および情報表示ボタン１２４は、図２および図３に示すような位置にそれぞれ配置されている。ホットシュー１０２は外部フラッシュ装置３を取り付けやすいようにカメラ１の最上部に配置されており、表示装置１１４はカメラ１の背面の中心付近に配置されている。操作ボタン１２５は、図２に示すように情報表示ボタン１２４の横に１つ配置されている。また図３に示すように、表示装置１１４の両脇に、合計４個のボタンと十字キーが操作ボタン１２５としてそれぞれ配置されている。これらの各操作ボタン１２５には、それぞれ異なる操作内容が割り当てられている。
【００２０】
図４は、カメラ１に撮影レンズ２と外部フラッシュ装置３を取り付けたときの側面図である。この取り付け状態において、カメラ１と外部フラッシュ装置３の間で必要な情報の通信が行われる。これにより、カメラ１において撮影が行われる際に、そのときの撮影状態に応じて、予め設定された調光モードおよび調光量にしたがって、外部フラッシュ装置３の発光タイミングや調光量が制御される。
【００２１】
ユーザは、外部フラッシュ装置３に対して調光設定を行うことにより、予め調光モードと調光量を設定しておくことができる。調光モードについては、カメラ１からの指示により撮影状況に応じて自動的に調光量を調節し発光するオート調光モードと、予め設定された調光量で発光するマニュアル調光モードのいずれかを選択して設定することができる。一方、調光量については、マニュアル調光モードを選択した場合にのみ、外部フラッシュ装置３が発光可能な最大光量までの範囲で任意の調光量を設定することができる。なお、オート調光モードが設定された場合は、カメラ１からの指示により調光量が自動的に調節されるため、予め調光量を設定する必要はない。
【００２２】
なお、外部フラッシュ装置３には、上記のような調光設定用の操作部材が設けられているものと、調光設定用の操作部材が設けられていないものと、合わせて２種類の形態が存在している。この形態の違いにより、外部フラッシュ装置３に対する調光設定は、外部フラッシュ装置３自体をユーザが操作して行う場合と、外部フラッシュ装置３が接続されたカメラ１をユーザが操作して行う場合とがある。
【００２３】
すなわち、外部フラッシュ装置３に調光設定用の操作部材が設けられている場合は、その操作部材をユーザが操作することにより、調光モードと調光量が設定される。一方、外部フラッシュ装置３に調光設定用の操作部材が設けられていない場合は、カメラ１をユーザが操作して調光モードと調光量の設定を行うと、その調光設定情報がカメラ１から外部フラッシュ装置３へと送信される。これにより、外部フラッシュ装置３において調光モードと調光量が設定される。したがって以下の説明では、前者の形態の外部フラッシュ装置３を自己設定型の外部フラッシュ装置と称し、後者の形態の外部フラッシュ装置３をカメラ設定型の外部フラッシュ装置と称する。
【００２４】
以上説明したように、カメラ１に接続された外部フラッシュ装置３の形態の違いに応じて、その外部フラッシュ装置３の調光設定が異なる方法により行われる。このときにカメラ１のＣＰＵ１０１によって実行される処理のフローチャートを図５に示す。図５のフローチャートについて、以下に説明する。
【００２５】
ステップＳ１０では、カメラ１に外部フラッシュ装置３が装着されているか否かを判定する。この判定は、ＣＰＵ１０１と外部フラッシュ装置３の間で所定のデータ通信が可能であるか否かを判断することにより行われる。具体的には、ＣＰＵ１０１から外部フラッシュ装置３に対してデータの送信要求を行い、この要求に応じて外部フラッシュ装置３からＣＰＵ１０１へ所定のデータが送信されてきたら、データ通信が可能であると判断して、カメラ１に外部フラッシュ装置３が装着されていると判定する。この場合、ステップＳ２０へ進む。一方、ＣＰＵ１０１からデータの送信要求を行っても外部フラッシュ装置３からＣＰＵ１０１へ所定のデータが送信されなかった場合は、データ通信が不可能であると判断して、カメラ１に外部フラッシュ装置３が装着されていないと判定する。この場合、ステップＳ１２０へ進む。
【００２６】
なお、ステップＳ１０の判定を、外部フラッシュ装置３からカメラ１に対して出力される電源モニタ信号を検出することにより行うようにしてもよい。すなわち、外部フラッシュ装置３の電源がオンされているときには、外部フラッシュ装置３からカメラ１へ電源モニタ信号を出力する。この電源モニタ信号がカメラ１において検出された場合は、カメラ１に外部フラッシュ装置３が装着されていると判定してステップＳ２０へ進む。一方、電源モニタ信号がカメラ１において検出されなかった場合は、カメラ１に外部フラッシュ装置３が装着されていないと判定してステップＳ１２０へ進む。
【００２７】
ステップＳ２０では、カメラ１に装着された外部フラッシュ装置３と通信を行う。このとき、初めにＣＰＵ１０１から外部フラッシュ装置３に対して、その外部フラッシュ装置３の形態を識別するための識別データを送信するように要求する。この要求を受信した外部フラッシュ装置３は、ＣＰＵ１０１に対して、自身の形態に応じた識別データを送信する。たとえば、前述した自己設定型の外部フラッシュ装置である場合は、識別データとして「１」のデータを送信する。これに対し、カメラ設定型の外部フラッシュ装置である場合は、識別データとして「０」のデータを送信する。
【００２８】
ステップＳ３０では、ステップＳ２０において外部フラッシュ装置３から送信された識別データの内容に基づいて、その外部フラッシュ装置３が操作部材の無いものであるか否かを判定する。外部フラッシュ装置３に操作部材が無いと判定した場合、すなわちその外部フラッシュ装置３がカメラ設定型の外部フラッシュ装置であると判定した場合は、ステップＳ４０へ進む。一方、外部フラッシュ装置３に操作部材があると判定した場合、すなわちその外部フラッシュ装置３が自己設定型の外部フラッシュ装置であると判定した場合は、ステップＳ１００へ進む。
【００２９】
なお、ステップＳ２０で外部フラッシュ装置３から送信されたデータの形式が、カメラ１においてサポートされていない形式であった場合は、カメラ１とその外部フラッシュ装置３の間で通信を行うことができないため、カメラ１から外部フラッシュ装置３に対して調光設定の情報を送信することができない。したがってこの場合は、ステップＳ３０において、外部フラッシュ装置３は操作部材のある自己設定型の外部フラッシュ装置であると判定し、ステップＳ１００へ進むことが好ましい。
【００３０】
ステップＳ３０からＳ４０へ進んだ場合、ステップＳ４０では、カメラ１からカメラ設定型の外部フラッシュ装置３に対して調光設定を行うための設定メニュー画面（カメラ設定型フラッシュ用設定メニュー画面）を表示する。このとき、表示装置制御部１１３からの表示制御により、後で説明する図７（ａ）に示すようなカメラ設定型フラッシュ用設定メニュー画面が表示装置１１４に表示される。
【００３１】
ステップＳ５０では、ステップＳ４０で表示されたカメラ設定型フラッシュ用設定メニュー画面において、調光モードの設定を行う。ここでは、ユーザが操作部材１２０を操作すると、その操作内容に応じてオート調光モードとマニュアル調光モードのいずれかが選択され、選択された方の調光モードが設定される。こうして調光モードが設定されたら、ステップＳ６０へ進む。
【００３２】
ステップＳ６０では、ステップＳ５０においてマニュアル調光モードが設定されたか否かを判定する。マニュアル調光モードが設定された場合はステップＳ７０へ進み、ステップＳ７０において調光量の設定を行う。ここでは、後で説明する図７（ｂ）に示すような調光量設定画面が表示装置１１４に表示される。ユーザが操作部材１２０を操作すると、その操作内容に応じていずれかの調光量が選択され、選択された調光量により調光量が設定される。こうして調光量の設定が行われたら、ステップＳ８０へ進む。一方、ステップＳ６０において、ステップＳ５０ではマニュアル調光モードではなくオート調光モードが設定されたと判定された場合は、ステップＳ７０を実行せずにステップＳ８０へ進む。この場合、調光量の設定は不要であるために行われない。
【００３３】
ステップＳ８０では、ステップＳ５０において設定された調光モードと、マニュアル調光モードが設定された場合にステップＳ７０において設定された調光量とに基づいて、カメラ１から外部フラッシュ装置３へ送信するための通信データを作成する。この通信データには、調光設定情報として、ステップＳ５０とステップＳ７０においてそれぞれ設定された調光モードと調光量の情報が含まれている。
【００３４】
ステップＳ９０では、ステップＳ８０において作成された通信データを外部フラッシュ装置３へ送信する。こうしてカメラ１のＣＰＵ１０１から送信された通信データが外部フラッシュ装置３において受信されると、外部フラッシュ装置３は、その通信データに含まれる調光設定情報に基づいて、自身の調光モードおよび調光量を設定する。これにより、外部フラッシュ装置３の調光設定が行われる。ステップＳ９０を実行したら、ＣＰＵ１０１は図５のフローチャートを終了する。
【００３５】
以上説明したようにして、外部フラッシュ装置３において調光設定が行われると、外部フラッシュ装置３の発光がスタンバイされる。そして、設定された調光モードおよび調光量にしたがって、ＣＰＵ１０１により外部フラッシュ装置３の発光が制御される。
【００３６】
一方、ステップＳ３０からステップＳ１００へ進んだ場合、ステップＳ１００では、自己設定型の外部フラッシュ装置３が接続されていることをユーザに知らせるための設定メニュー画面（自己設定型フラッシュ用設定メニュー画面）を表示する。このとき、表示装置制御部１１３からの表示制御により、後で説明する図８に示すような自己設定型フラッシュ用設定メニュー画面が表示装置１１４に表示される。
【００３７】
ステップＳ１１０では、外部フラッシュ装置３から送信される設定データを受信する。この設定データには、予め外部フラッシュ装置３の操作部材をユーザが操作することによって行われた調光設定の情報が含まれており、外部フラッシュ装置３における調光モードや調光量等の設定状態が示されている。
【００３８】
ステップＳ１１１では、ステップＳ１１０において受信した調光設定の情報に基づいて、カメラ１から外部フラッシュ装置３へ送信するための通信データを作成する。この通信データには、調光設定の情報として、ステップＳ１１０で受信した調光モードや調光量等の情報が含まれている。
【００３９】
ステップＳ１１２では、ステップＳ１１１において作成された通信データを外部フラッシュ装置３へ送信する。こうしてカメラ１のＣＰＵ１０１から送信された通信データが外部フラッシュ装置３において受信されると、外部フラッシュ装置３は、その通信データに含まれる調光設定情報に基づいて、自身の調光モードおよび調光量を最終的に設定する。これにより、外部フラッシュ装置３の調光設定が行われる。ステップＳ１１２を実行したら、ＣＰＵ１０１は図５のフローチャートを終了する。
【００４０】
以上説明したようにして、外部フラッシュ装置３の調光設定に関する設定データが外部フラッシュ装置３からカメラ１のＣＰＵ１０１に対して送信されると、ＣＰＵ１０１において外部フラッシュ装置３の調光モードおよび調光量の設定状態が認識され、外部フラッシュ装置３の発光がスタンバイされる。そして、設定された調光モードおよび調光量にしたがって、ＣＰＵ１０１により外部フラッシュ装置３の発光が制御される。
【００４１】
また、カメラ１に外部フラッシュ装置３が装着されていないと判定してステップＳ１０からステップＳ１２０へ進んだ場合、ステップＳ１２０では、カメラ１の内蔵フラッシュ装置１０８に対して調光設定を行うための設定メニュー画面（内蔵フラッシュ用設定メニュー画面）を表示する。このとき、表示装置制御部１１３からの表示制御により、後で説明する図６（ａ）に示すような内蔵フラッシュ用設定メニュー画面が表示装置１１４に表示される。
【００４２】
ステップＳ１２０を実行した後、ステップＳ１３０〜ステップＳ１５０では、既に説明したステップＳ５０〜７０と同様の処理をそれぞれ実行する。すなわちステップＳ１３０では、ステップＳ１２０で表示された内蔵フラッシュ用設定メニュー画面において、調光モードの設定を行う。オート調光モードまたはマニュアル調光モードのいずれかの調光モードがユーザの操作により設定されたら、ステップＳ１４０へ進む。
【００４３】
ステップＳ１４０では、ステップ１３０においてマニュアル調光モードが設定されたか否かを判定する。マニュアル調光モードが設定された場合はステップＳ１５０へ進み、ステップＳ１５０において、調光量の設定を行う。ここでは、後で説明する図６（ｂ）に示すような調光量設定画面が表示装置１１４に表示される。調光量の設定が行われたら、図５のフローチャートを終了する。一方、ステップＳ１３０ではオート調光モードが設定されたとステップＳ１４０において判定された場合は、ステップＳ１５０を実行せずに図５のフローチャートを終了する。
【００４４】
以上説明したようにして、内蔵フラッシュ装置１０８に対して調光モードおよび調光量が設定されると、内蔵フラッシュ装置１０８がポップアップされている場合には、その発光がスタンバイされる。そして、設定された調光モードおよび調光量にしたがって、ＣＰＵ１０１により内蔵フラッシュ装置１０８の発光が制御される。なお、内蔵フラッシュ装置１０８がポップアップされていない場合は、内蔵フラッシュ装置１０８の発光スタンバイは行われず、発光制御も行われない。
【００４５】
図５のフローチャートを実行する際にカメラ１の表示装置１１４において表示される設定メニュー画面の例を図６、７および８に示す。図６（ａ）は、カメラ１に外部フラッシュ装置３が取り付けられていないときに、ステップＳ１２０において表示される内蔵フラッシュ用設定メニュー画面の例を示している。この設定メニュー画面に含まれる各設定メニュー項目のうち、枠１４で囲われた部分のメニュー項目には、「内蔵フラッシュ発光」と書かれた内蔵フラッシュ設定メニューが表示されている。この内蔵フラッシュ設定メニューをユーザが選択することにより、内蔵フラッシュ装置１０８の調光設定が行われる。
【００４６】
図６（ａ）の設定メニュー画面において、枠１４で囲われた内蔵フラッシュ設定メニューがユーザによって選択され、さらに調光モードとしてマニュアル発光モードが設定されると、図６（ｂ）に示す調光量設定画面が表示される。この画面において、ユーザの操作に応じていずれかの調光量が選択されることで、マニュアル発光モードにおける内蔵フラッシュ装置１０８の調光量が設定される。
【００４７】
図７（ａ）は、カメラ１にカメラ設定型の外部フラッシュ装置３が取り付けられているときに、ステップＳ４０において表示されるカメラ設定型フラッシュ用設定メニュー画面の例を示している。この設定メニュー画面に含まれる各設定メニュー項目のうち、枠１４で囲われた部分の設定メニュー項目には、図６（ａ）の内蔵フラッシュ設定メニューに替えて、「外付けフラッシュ発光」と書かれた外部フラッシュ設定メニューが表示されている。この外部フラッシュ設定メニューをユーザが選択することにより、外部フラッシュ装置３の調光設定が行われる。
【００４８】
図７（ａ）の設定メニュー画面において、枠１４で囲われた外部フラッシュ設定メニューがユーザによって選択され、さらに調光モードとしてマニュアル発光モードが設定されると、図７（ｂ）に示す調光量設定画面が表示される。この画面において、ユーザの操作に応じていずれかの調光量が選択されることで、マニュアル発光モードにおけるカメラ設定型の外部フラッシュ装置３の調光量が設定される。
【００４９】
図８は、カメラ１に自己設定型の外部フラッシュ装置３が取り付けられているときに、ステップＳ１００において表示される自己設定型フラッシュ用設定メニュー画面の例を示している。この設定メニュー画面に含まれる各設定メニュー項目のうち、枠１４で囲われた部分の設定メニュー項目には、文字を黒く塗りつぶす（ブラックアウト）ことで表示形態を図６（ａ）から変化させた内蔵フラッシュ設定メニューが表示されている。これにより、カメラ１には自己設定型の外部フラッシュ装置３が接続されているため、調光設定ができないことをユーザに示している。
【００５０】
以上説明したように、カメラ１に接続された外部フラッシュ装置３の形態の違いに応じて、表示装置１１４に表示される設定メニュー画面に含まれる設定メニュー項目が変化される。すなわち、カメラ設定型の外部フラッシュ装置３が接続された場合は、図７（ａ）に示すような設定メニュー画面が表示される。これに対して、自己設定型の外部フラッシュ装置３が接続された場合は、図８に示すような設定メニュー画面が表示される。さらに、外部フラッシュ装置３が接続されていない場合は、図６（ａ）に示すような設定メニュー画面が表示される。
【００５１】
なお、上記の説明では、図６〜８の枠１４に囲われた部分の設定メニュー項目を変化させることにより、カメラ１に取り付けられた外部フラッシュ装置３の形態の違いに応じて異なる設定メニュー画面を表示することとした。しかし、このような方法に替えて、新たな設定メニュー項目を追加したり、設定メニュー項目の一部を削除したりすることで、異なる設定メニュー画面を表示することとしてもよい。
【００５２】
たとえば、カメラ１に外部フラッシュ装置３が接続されていない場合は、上記と同様に図６（ａ）の枠１４に囲われた部分に、「内蔵フラッシュ発光」と書かれた内蔵フラッシュ設定メニューを表示する。これに対し、カメラ１にカメラ設定型の外部フラッシュ装置３が接続された場合は、内蔵フラッシュ設定メニューの下に、「外付けフラッシュ発光」と書かれた外部フラッシュ設定メニューを追加表示する。このとき、内蔵フラッシュ設定メニューをそのまま表示して内蔵フラッシュ装置１０８の調光設定をできるようにしてもよいし、あるいは、内蔵フラッシュ設定メニューをブラックアウト表示して、内蔵フラッシュ装置１０８の調光設定をできないようにしてもよい。また、カメラ１に自己設定型の外部フラッシュ装置３が接続された場合は、内蔵フラッシュ設定メニューを削除またはブラックアウト表示する。あるいは、内蔵フラッシュ設定メニューをそのまま表示して、内蔵フラッシュ装置１０８の調光設定をできるようにしてもよい。
【００５３】
次に、カメラ１に取り付けられた外部フラッシュ装置３がカメラ１の正面方向を向いていないときの警告表示について説明する。外部フラッシュ装置３は、ユーザが発光方向を任意に変更できるような構造を有しており、カメラ１の正面方向以外の方向に向けることもできる。しかし、外部フラッシュ装置３の発光方向がカメラ１の正面方向以外の方向に向いていることをユーザが知らずに撮影を行うと、ユーザの意図しない不適切な調光で被写体が撮影されてしまう場合がある。そこで、外部フラッシュ装置３がカメラ１の正面方向以外の方向を向いている場合は、カメラ１を構えた状態でもユーザがそれを知ることができるように、警告表示を行うようにしている。
【００５４】
上記の警告表示は、外部フラッシュ装置３の形態の違いに応じて、異なる方法により行われる。自己設定型の外部フラッシュ装置３の場合、前述したような調光設定用の操作部材が設けられており、その操作部材の中には通常、液晶ディスプレイなどの表示部材も含まれている。したがって、この表示部材を用いて警告表示を行うことができる。これに対し、カメラ設定型の外部フラッシュ装置３の場合は、調光設定用の操作部材が設けられていない。したがって、カメラ１の表示装置１１４を用いて警告表示を行う必要がある。
【００５５】
図９のフローチャートは、カメラ１の表示装置１１４を用いて警告表示を行う際に、カメラ１のＣＰＵ１０１によって実行される処理の流れを示している。このフローチャートについて、以下に説明する。
【００５６】
ステップＳ２１０〜Ｓ２３０では、図５のステップＳ１０〜Ｓ３０と同様の処理をそれぞれ実行する。すなわち、ステップＳ２１０では、カメラ１に外部フラッシュ装置３が装着されているか否かを判定する。装着されていれば次のステップＳ２２０へ進む。一方、装着されていなければ図９のフローチャートを終了する。この場合は警告表示が行われない。次のステップＳ２２０では、カメラ１に装着された外部フラッシュ装置３との間で通信を行う。これにより、外部フラッシュ装置３からＣＰＵ１０１に対して、その外部フラッシュ装置３の形態に応じた識別データが送信される。
【００５７】
ステップＳ２３０では、ステップＳ２２０において外部フラッシュ装置３から送信された識別データの内容に基づいて、その外部フラッシュ装置３における操作部材の有無を判定する。操作部材が無いと判定した場合、すなわち外部フラッシュ装置３がカメラ設定型の外部フラッシュ装置であると判定した場合は、ステップＳ２４０へ進む。一方、操作部材があると判定した場合、すなわち外部フラッシュ装置３が自己設定型の外部フラッシュ装置であると判定した場合は、図９のフローチャートを終了する。この場合、カメラ１では警告表示が行われず、外部フラッシュ装置３に設けられた操作部材に含まれる表示装置により警告表示が行われる。
【００５８】
ステップＳ２４０では、カメラ設定型の外部フラッシュ装置３からカメラ１に対して送信される角度データを受信する。この角度データは、外部フラッシュ装置３における発光方向を表しており、外部フラッシュ装置３によって所定のタイミングで出力される。
【００５９】
ステップＳ２５０では、ステップＳ２４０で受信した角度データに基づいて、外部フラッシュ装置３の向きが、カメラ１の正面方向に対応する角度を中心とする所定の角度範囲から外れているか否かを判定する。外部フラッシュ装置３の向きが所定の角度範囲から外れている場合はステップＳ２６０へ進み、その旨をユーザに知らせるための警告画面を表示装置１１４に表示する。このとき表示される警告画面の例を図１０に示す。このような警告画面が表示装置１１４に表示されることにより、ユーザはカメラ１を構えた状態でも、外部フラッシュ装置３がカメラ１の正面方向を向いていないと知ることができる。
【００６０】
ステップＳ２６０を実行して警告画面を表示したら、ステップＳ２４０へ戻って上記のような処理を繰り返す。これにより、外部フラッシュ装置３がカメラ１の正面方向を向いていない場合には警告画面が表示され続ける。一方、ステップＳ２５０において外部フラッシュ装置３の向きが所定の角度範囲から外れていないと判定された場合は、ステップＳ２６０を実行せずにステップＳ２４０へ戻る。この場合、図１０のような警告画面の表示は行われない。
【００６１】
以上説明した実施の形態によれば、次のような作用効果を奏することができる。
（１）外部フラッシュ装置３は、調光設定用の操作部材が設けられており、ユーザがその外部フラッシュ装置３に対して入力した操作に応じて調光設定可能な自己設定型の外部フラッシュ装置、または、調光設定用の操作部材が設けられておらず、カメラ１から送信される調光設定情報に基づいて調光設定可能なカメラ設定型の外部フラッシュ装置のいずれかである。そして、カメラ１は、自己設定型の外部フラッシュ装置が接続された場合と、カメラ設定型の外部フラッシュ装置が接続された場合とで、表示装置１１４に表示する画像の内容を変化させることとした。このようにしたので、カメラに接続された外部フラッシュ装置における調光設定方法の違いを考慮して、適切にカメラを動作させることができる。
【００６２】
（２）カメラ１は、自己設定型の外部フラッシュ装置が接続された場合に、ステップＳ１００において表示装置１１４に表示される自己設定型フラッシュ用設定メニュー画面に含まれる設定メニュー項目と、カメラ設定型の外部フラッシュ装置が接続された場合に、ステップＳ４０において表示装置１１４に表示されるカメラ設定型フラッシュ用設定メニュー画面に含まれる設定メニュー項目とを変化させることにより、表示装置１１４に表示する画像の内容を変化させることとした。このようにしたので、カメラに接続された外部フラッシュ装置における調光設定方法の違いに応じて、それぞれの場合に適切な設定メニュー画面を表示することができる。
【００６３】
（３）カメラ１は、外部フラッシュ装置３が接続されていない場合は、内蔵フラッシュ設定メニューを含む図６（ａ）のような内蔵フラッシュ用設定メニュー画面を、表示装置１１４に表示する（ステップＳ１２０）。また、自己設定型の外部フラッシュ装置３が接続された場合は、内蔵フラッシュ設定メニューの表示形態を変化させた図８のような自己設定型フラッシュ用設定メニュー画面を、表示装置１１４に表示する（ステップＳ１００）。さらに、カメラ設定型の外部フラッシュ装置３が接続された場合は、内蔵フラッシュ設定メニューに替えて、外部フラッシュ設定メニューを含む図７（ａ）のようなカメラ設定型フラッシュ用設定メニュー画面を、表示装置１１４に表示する（ステップＳ４０）こととした。このようにしたので、それぞれの場合において最適な設定メニュー画面を表示し、ユーザに間違いなく操作させることができる。
【００６４】
（４）カメラ１は、カメラ設定型の外部フラッシュ装置３が接続された場合は、図１０に示すような警告画面を表示装置１１４に表示し（ステップＳ２６０）、自己設定型の外部フラッシュ装置３が接続された場合は、警告画面を表示しないこととした。このようにしたので、カメラに接続された外部フラッシュ装置に表示部材が設けられていない場合であっても、その外部フラッシュ装置の向きが所定の方向ではないときに、その旨をユーザに知らせることができる。
【００６５】
なお、上記実施の形態では、被写体を撮影し、その撮影画像データを記録するデジタル方式のカメラシステムを例に説明したが、被写体の撮影像をフィルムにより記録するフィルム方式のカメラにおいても本発明は適用可能である。
【００６６】
また、上記実施の形態では、カメラ１に接続される外部フラッシュ装置３の形態が、自己設定型の外部フラッシュ装置またはカメラ設定型の外部フラッシュ装置のいずれかである場合を例として説明した。しかし、これ以外の形態の外部フラッシュ装置３がカメラ１に接続された場合にも、同じように本発明を適用することができる。たとえば、調光モードや調光量の設定ができない外部フラッシュ装置３がカメラ１に接続された場合、自己設定型の外部フラッシュ装置が接続された場合と同様に取り扱うことができる。また、自己設定型およびカメラ設定型の両方の特徴を有する外部フラッシュ装置３がカメラ１に接続された場合は、カメラ設定型の外部フラッシュ装置が接続された場合と同様に取り扱うことが好ましい。この場合、いずれかの方法で調光設定が行われると、それ以前に他の方法で行われた調光設定の内容が書き換えられる。
【００６７】
以上説明した実施の形態や各種の変形例はあくまで一例であり、発明の特徴が損なわれない限り、本発明はこれらの内容に限定されない。
【００６８】
上記の実施の形態では、第１の外部フラッシュ装置を自己設定型の外部フラッシュ装置として説明し、第２の外部フラッシュ装置をカメラ設定型の外部フラッシュ装置として説明した。また、画像表示手段を表示装置１１４によって実現し、接続手段をホットシュー１０２によって実現することとした。しかし、これはあくまで一例であり、発明を解釈する際、上記の実施形態の記載事項と特許請求の範囲の記載事項の対応関係には何ら限定も拘束もされない。
【図面の簡単な説明】
【００６９】
【図１】本発明の一実施の形態によるカメラシステムの構成を示すブロック図である。
【図２】カメラを上方向から見たときの外観図である。
【図３】カメラを背面方向から見たときの外観図である。
【図４】カメラに撮影レンズと外部フラッシュ装置を取り付けたときの側面図である。
【図５】外部フラッシュ装置の調光設定を行うときに実行される処理のフローチャートである。
【図６】カメラに外部フラッシュ装置が取り付けられていないときに表示される内蔵フラッシュ用設定メニュー画面の例である。
【図７】カメラにカメラ設定型の外部フラッシュ装置が取り付けられているときに表示されるカメラ設定型フラッシュ用設定メニュー画面の例である。
【図８】カメラに自己設定型の外部フラッシュ装置が取り付けられているときに表示される自己設定型フラッシュ用設定メニュー画面の例である。
【図９】カメラの表示装置を用いて警告表示を行う際に実行される処理のフローチャートである。
【図１０】外部フラッシュ装置がカメラの正面方向以外の方向を向いている場合に表示される警告画面の例である。
【符号の説明】
【００７０】
１：カメラ                          ２：撮影レンズ
３：外部フラッシュ装置          １０１：ＣＰＵ
１０２：ホットシュー                １０３：ＣＣＤ
１０４：駆動部                      １０５：撮像信号処理部
１０６：測光装置                    １０７：シーケンス装置
１０８：内蔵フラッシュ装置          １０９：電源制御部
１１０：電源部                      １１１：ファインダ内表示装置制御部
１１２：ファインダ内表示装置        １１３：表示装置制御部
１１４：表示装置                    １１５：コントローラ
１１６：メモリカード                １１７：画像処理部
１１８：ＲＡＭ                      １１９：ＲＯＭ
１２０：操作部材
【図１】
2008116748.tif 000003
【図２】
2008116748.tif 000004
【図３】
2008116748.tif 000005
【図４】
2008116748.tif 000006
【図５】
2008116748.tif 000007
【図６】
2008116748.tif 000008
【図７】
2008116748.tif 000009
【図８】
2008116748.tif 000010
【図９】
2008116748.tif 000011
【図１０】
2008116748.tif 000012